(57)【要約】【課題】芯線に傷を生じさせることなく容易にスロットを除去できるスロット型ケーブル用のペンチを提供する。【解決手段】スロット型ケーブル５０用のペンチ１では、回動軸２によって一対の挟持半体１ａが回動可能に連結されている。回動軸２よりも頭部４側には、先端側から一対の挟持部６、一対の凸部８、一対の刃部１０が設けられている。刃部１０は、ペンチ１の厚さ方向３０に対して一方側へ偏って配置されている。また、凸部８も刃部１０と同じ側に偏って配置されている。一対の凸部８は、刃部１０以上に対向側へ突出しており、柄部１２を全閉状態にしたときに互いに突き合わされる。一対の凸部８が突き合わされた全閉状態では、一対の挟持部６の間に隙間が形成される。【選択図】図１
2015188991.tif 000002
【特許請求の範囲】
【請求項１】
一対の挟持半体が相対回動可能に回動軸によってＸ字形に結合され、前記回動軸を支点にして後端側の柄部の開閉によって先端側の頭部を操作するペンチであって、
前記頭部の先端側に設けられ、閉状態において離間状態となる一対の挟持部と、
前記頭部における前記回動軸寄りの位置に、前記回動軸の延びる厚み方向に対して一方側へ偏って設けられた一対の刃部と、
前記挟持部と前記刃部との間に設けられ、閉状態において突き合うように前記刃部以上に対向側へ突出して形成されており、かつ、前記厚み方向において前記刃部と同じ側へ偏って形成された一対の凸部と
を備えたことを特徴とするペンチ。
【発明の詳細な説明】
【技術分野】
【０００１】
本発明は、被覆の剥ぎ取りや芯線の切断など、電線の加工を行うペンチに関し、特に、光ファイバー等の加工に用いられるスロット型ケーブル用のペンチに関するものである。
【背景技術】
【０００２】
被覆が施された電線を加工する際、被覆の切断、被覆の剥ぎ取り、芯線の切断等の作業が必要となる。また、光ファイバー等に用いられるマルチスロット型のケーブルの場合、端部の加工において、外装の切断、外装の剥ぎ取り、光ケーブル及びテンションメンバの切断に加えて、光ケーブルを収容するスロット部材の切断及び引き抜き等の作業が必要となる。このような作業には、切断と把持とを使い分けることができる手持ち工具のペンチが用いられることが多い。
【０００３】
一般的なペンチの例を図５に示す。図５に示すようなペンチ１００では、一対の挟持半体１００ａがＸ字形に枢着されており、柄部１１２の開閉動作によって頭部１０４の開閉を操作する構成となっている。また、図５の構成のように、頭部１０４のうち回動軸１０２に近い位置に一対の対向刃からなる刃部１１０を設けると、梃子の作用により柄部１１２からの力が効率良く伝達されるので小さい力を大きく働かせることができる。そして、頭部１０４の先端側に一対の挟持部１０６を設けると、様々な角度で対象物を挟持することができるので、細かな作業を行うことができる。したがって、従来から、回動軸１０２に近い側に刃部１１０、先端側に挟持部１０６を設けた構成が多く採用されている。このようなペンチについては特許文献１に記載がある。
【先行技術文献】
【特許文献】
【０００４】
【特許文献１】特開平８−２７６３６８号公報
【発明の概要】
【発明が解決しようとする課題】
【０００５】
しかしながら、作業対象が上述のようなスロット型の光ケーブル等の場合には、スロット部分の加工が難しい。
【０００６】
ここで、マルチスロット型ケーブルの一例を図６に示す。図６は光ファイバー等に用いられるマルチタイプのスロット型ケーブル５０であるが、説明の便宜のため、光ファイバーの図示は省略している。図６に示すように、外皮５３の内側にスロット部材５１が設けられている。このスロット部材５１の外周面には、螺旋状に５本のスロット５１ａが形成されている。これら５本のスロット５１ａに光ファイバー等が配置される。マルチスロット型ケーブル５０の中心には、金属線のテンションメンバ５２が設けられている。
【０００７】
上記のようなスロット型ケーブル５０では、５本のスロット５１ａが形成されているので、ペンチなどの工具により挟んだ場合、変形し易い形状となっている。このため、スロット部材５１を輪切り加工した後、引き抜き作業を行う際、図５に示したようなペンチ１００を用いると、スロット部材５１を潰してしまい、テンションメンバ５２等の芯線に傷を生じさせる恐れがある。また、テンションメンバ５２に傷を生じさせないように把持力を加減してスロット部材５１を引き抜こうとする場合、把持力が弱すぎると上滑りなどを生じ易く、スロット部材５１の表面が崩れ、引き抜き困難な状態にまで変形させてしまうこともある。
【０００８】
このように、変形し易いスロット部材５１に対して、微妙な力加減で作業を行わなければならない状況では、熟練を要する。
【０００９】
そこで、本発明では、芯線を傷つけることなく容易にスロットを除去できるスロット型ケーブル用のペンチを提供することを目的とする。
【課題を解決するための手段】
【００１０】
上記目的を達成するために、本発明のペンチは、一対の挟持半体が相対回動可能に回動軸によってＸ字形に結合され、回動軸を支点にして後端側の柄部の開閉によって先端側の頭部を操作するペンチであって、頭部の先端側に設けられ、閉状態において離間状態となる一対の挟持部と、頭部における回動軸寄りの位置に、回動軸の延びる厚さ方向に対して一方側へ偏って設けられた一対の刃部と、挟持部と刃部との間に設けられ、閉状態において突き合うように刃部以上に対向側へ突出して形成されており、かつ、厚さ方向において刃部と同じ側へ偏って形成された一対の凸部とを備えたことを特徴とする。
【発明の効果】
【００１１】
刃部よりも対向側へ突出した一対の凸部同士が、閉状態において突き合わされるので、開閉によって刃部同士が互いに過度の力を及ぼし合うことを防止し、刃部の損傷及び摩耗を防ぐことが可能となる。また、閉状態において、一対の挟持部の間に隙間が形成されるので、対象物を挟持した際の開度を小さく抑えられ、作業を容易にすることが可能である。さらに、厚さ方向において、凸部が偏って設けられているので、凸部の厚さ方向の側方に空間が形成される。これにより、一対の挟持部に挟持された対象物の先端を凸部及び刃部の側方に延ばして配置することができるので、作業姿勢のバリエーションが増し、作業効率の向上を図ることが可能となる。
【図面の簡単な説明】
【００１２】
【図１】本発明の実施の形態に係るスロット型ケーブル用のペンチの全体斜視図である。
【図２】図１のスロット型ケーブル用のペンチを側方から見た図であって、（ａ）は刃部の内側から見た図、（ｂ）は刃部の外側から見た図である。
【図３】図２（ｂ）のＡ−Ａ線で切断した断面図である。
【図４】図１のペンチの使用状態を示し、スロット型ケーブルのスロット部材を引き抜く様子を示した頭部周辺の拡大図である。
【図５】従来のペンチを示した図である。
【図６】一般的なマルチスロット型ケーブルを示した図である。
【発明を実施するための形態】
【００１３】
以下、本発明のスロット型ケーブル用のペンチに係る実施の形態について図を用いて説明する。なお、作業対象となるケーブルについては、図６のスロット型ケーブル５０を参照するものとする。
【００１４】
先ず、図１にスロット型ケーブル用ペンチ（以降、単にペンチと呼ぶ。）の全体斜視図を示す。図１のペンチ１は、一対の挟持半体１ａがＸ字形に交差するように回動軸２によって軸支されている。この回動軸２を挟んで柄部１２側（後端側）には後述する輪切部２０が設けられている。
【００１５】
回動軸２の頭部４側（先端側）には、一対の対向刃からなる刃部１０が設けられている。そして、刃部１０の先端側に隣接して一対の凸部８が設けられている。この凸部８の先端は略平坦な形状になっており、閉状態において互いの先端が突き合わされる。
【００１６】
さらに、凸部８よりも先端側には、一対の挟持部６が設けられている。挟持部６の挟持
面には、回動軸２と平行な溝が複数形成されている。
【００１７】
次に、図２に、図１のペンチ１の全閉状態の側面図を示す。図２（ａ）には一対の刃部１０の内側を見た側面図、（ｂ）には刃部１０の外側を見た側面図が示されている。
【００１８】
図２に示すように、ペンチ１では全閉状態において、一対の挟持部６に隙間が形成されている。本実施の形態では、この隙間は、作業対象となるスロット型ケーブル５０のテンションメンバ５２の太さよりも大きくなるように形成されている。
【００１９】
刃部１０の設けられている領域において厚さ方向３０（図１を参照）に広がる内側の空間と、挟持部６との間は、凸部８の厚さ方向３０に形成された圧力分散部８ａの傾斜面により連続している。
【００２０】
回動軸２よりも柄部１２側には、輪切部２０が設けられている。この輪切部２０には、閉じた状態でテンションメンバ５２よりも僅かに大きい貫通孔が形成される。これを用いて、テンションメンバ５２に傷を付けることなくスロット部材５１のみに輪切状の切り込みを形成することができる。
【００２１】
凸部８の突出量は、刃部１０と同程度となるように形成されている。これにより、開閉操作によって刃部１０に過度の力が働くことを防止できるので、摩耗等から刃を保護することができる。
【００２２】
なお、ここでは、凸部８と刃部１０とは略同じ高さに突出した構成を例として示したが、刃部１０の突出量を凸部８より抑えた値に設定しても良い。これにより、刃の摩耗は確実に防止される。
【００２３】
上述のように、挟持部６の挟持面には複数の溝が形成されているが、これらを構成する平均的な面は略平面となるように形成されている。
【００２４】
続いて、図３に、図２（ｂ）のＡ−Ａ線で切断した断面図を示す。図３に示すように、刃部１０が厚さ方向３０において一方側（図３では左側）に偏って配置されている。
【００２５】
また、凸部８も、厚さ方向３０において刃部１０と同じ側に偏って配置されている。これにより、片側（図３において紙面右側の領域）が空いた状態となる。図３では、スロット型ケーブル５０の外径を仮想線で示している。このように、片側が空いているので、スロット部材５１（図６参照）の部分を挟持部６で掴む際、深い位置まで咥え込むことができる。
【００２６】
すなわち、スロット部材５１の端部のみを摘むのではなく、引き抜かれるスロット部材５１の広い範囲に対して安定して力を伝達できるよう、位置を自由に選択することができるので、必要最小限の力で効率良く挟持でき、滑りを生じさせることなくスムーズに抜き取ることが可能となる。このような使用状態を図４に示す。この図４には、スロット部材５１に輪切状の切目を形成した後、スロット部材５１を端部側へ抜き取る時の様子が示されている。
【００２７】
図３に示したように、本実施の形態に係るペンチ１では、全閉状態であっても、挟持部６の全域に隙間が形成される。上述のように、この隙間は、略平行な挟持面で形成されるので、スロット部材５１を略平坦な挟持面で均等に挟持することができる。
【００２８】
また、挟持部６と刃部１０との間の圧力分散部８ａの傾斜角は、図４中において一点鎖線で示されているように、挟持部６の挟持面に対して緩やかに連続しているので、局所的
にスロット部材５１に大きな力が集中するのを緩和している。これにより、軟質のスロット部材５１が途中で千切れてしまうことを防止できる。
【００２９】
以上のように、本実施の形態に係るペンチ１を用いると、必要以上に大きな力で挟持しなくても安定してスロット部材５１を挟持部６で挟持することができ、しかも、完全に閉じた状態であっても挟持面同士の間にテンションメンバ５２よりも広い隙間が形成されるので、テンションメンバ５２に傷を生じさせることもない。
【００３０】
なお、上記の実施の形態では、一対の挟持半体１ａを全閉状態にした際、一対の挟持部６の間には、略平行な挟持面で隙間が形成される構成を例として示した。しかし、この隙間は平行でなくても構わない。例えば、挟持されるスロット部材に対して局所的に力が働かないように、緩やかな凸面で形成されていても構わない。
【００３１】
また、上記の実施の形態では、一対の挟持部６で形成される隙間の大きさは、挟持対象となるテンションメンバ５２の太さよりも僅かに大きい構成を例として示した。しかし、挟持部６同士の間に僅かでも隙間が形成されれば、テンションメンバ５２の外径よりも狭い隙間を形成する構成であっても構わない。これにより、僅かでもテンションメンバ５２に加わる力を低減する効果を得ることが可能となる。
【００３２】
また、上記の実施の形態では、凸部８はペンチ１の厚さ方向３０に対して略半分程度の厚さとなるように一方向へ偏った構成を例として示した。しかし、片側を空けるように刃部１０と同じ側へ偏った構成であれば、半分の厚さでなくても構わない。
【００３３】
また、上記の実施の形態では、回動軸２に対して柄部１２側に輪切部２０を設けた構成を例として示したが、この輪切部２０は設けられていなくても構わない。
【００３４】
また、上記の実施の形態では、刃部１０の設けられている領域の側方の空間と、挟持部６との間を繋ぐ圧力分散部８ａについて、緩やかな傾斜面が形成された構成を例として示した。しかし、スロット部材５１に対して局所的に力が集中しない形状であれば、例えば、緩やかに湾曲した面で構成されていても構わない。
【産業上の利用可能性】
【００３５】
本発明のペンチは、全閉した状態であっても、一対の挟持部同士の間に隙間が形成されるので、芯線に過度の力を加えることなく安定してケーブルを挟持することができる。このため、特に、挟持する力が大きすぎると芯線であるテンションメンバを傷つける恐れがあり、かつ、挟持する力が小さすぎると軟質構造であるスロット部材に適切にグリップさせることが難しいマルチスロット型ケーブルに対して有用である。
【符号の説明】
【００３６】
１      ペンチ
１ａ      挟持半体
２      回動軸
４      頭部
６      挟持部
８      凸部
８ａ      圧力分散部
１０      刃部
１２      柄部
２０      輪切部
３０      厚さ方向
５０      スロット型ケーブル
５１      スロット部材
５１ａ      スロット
５２      テンションメンバ
５３      外皮
【図１】
2015188991.tif 000003
【図２】
2015188991.tif 000004
【図３】
2015188991.tif 000005
【図４】
2015188991.tif 000006
【図５】
2015188991.tif 000007
【図６】
2015188991.tif 000008